(57)【要約】【課題】ファンの排気口または吸気口をバッテリーの着脱時に必要な領域に配置することで、本体の小型化、さらにゴミの侵入や雨水の侵入を防ぐことが可能な撮像装置を提供すること。【解決手段】撮像装置は、ファンと、ファンを内部に保持し、ファンの駆動によって外部の空気を吸入する吸気口と、ファンの駆動によって生じた気流を排出する排気口が形成された外装部材と、バッテリーが装着される装着領域と、バッテリーを摺動させ、装着領域にバッテリーを着脱可能に取り付ける着脱用領域と、を有するバッテリー取り付け部と、を有し、着脱用領域には、吸気口または排気口のうち少なくとも一方の開口部が形成されている。【選択図】図３
2015185852.tif 000002
【特許請求の範囲】
【請求項１】
ファンと、
前記ファンを内部に保持し、前記ファンの駆動によって外部の空気を吸入する吸気口と、前記ファンの駆動によって生じた気流を排出する排気口が形成された外装部材と、
バッテリーが装着される装着領域と、前記バッテリーを摺動させ、前記装着領域に前記バッテリーを着脱可能に取り付ける着脱用領域と、を有するバッテリー取り付け部と、を有し、
前記着脱用領域には、前記吸気口または前記排気口のうち少なくとも一方の開口部が形成されていることを特徴とする撮像装置。
【請求項２】
前記バッテリー取り付け部は、前記撮像装置の背面または側面に形成されていることを特徴とする請求項１に記載の撮像装置。
【請求項３】
前記吸気口または前記排気口のうち他方の開口部が前記撮像装置の少なくとも側面または底面の１面に形成されていることを特徴とする請求項２に記載の撮像装置。
【請求項４】
前記着脱用領域には、前記装着領域に接触する前記バッテリーの第１面と摺動する第１の領域と、前記第１の面と垂直な第２の面と摺動する第２の領域と、を有し、
前記開口部は、前記第２の領域に形成されていることを特徴とする請求項１から３のいずれか１項に記載の撮像装置。
【請求項５】
光学信号を光電変換可能な撮像素子を更に有し、
前記ファンは、前記撮像装置の後方に配置されていることを特徴とする請求項１から４のいずれか１項に記載の撮像装置。
【請求項６】
光軸方向において、前記撮像素子と前記ファンの間に配置された金属ユニットを更に有することを特徴とする請求項１から５のいずれか１項に記載の撮像装置。
【請求項７】
前記金属ユニットは、記録媒体のスロットであることを特徴とする請求項６に記載の撮像装置。
【請求項８】
前記ファンは、光軸に垂直な方向から所定の角度だけ傾いて配置されていることを特徴とする請求項１から７のいずれか１項に記載の撮像装置。
【請求項９】
前記ファンと前記バッテリー取り付け部の前記開口部とを接続するダクトを更に有することを特徴とする請求項１から８のいずれか１項に記載の撮像装置。
【請求項１０】
前記ダクトは、前記ファンから後方かつ上方に向かって、形成されていることを特徴とする請求項９に記載の撮像装置。
【発明の詳細な説明】
【技術分野】
【０００１】
本発明は、強制空冷構造を備える撮像装置に関する。
【背景技術】
【０００２】
小型化と高機能化した撮像装置が市場から要望されるに伴い、消費電力の増大、外装温度の高温化および内部電気素子の保証温度を超えることによる熱暴走などが近年問題となっている。例えば、特許文献１では、ファンを用いた強制空冷構造を備える撮像装置が提案されている。
【先行技術文献】
【特許文献】
【０００３】
【特許文献１】特開２００６-２９５８５５号公報
【発明の概要】
【発明が解決しようとする課題】
【０００４】
特許文献１の撮像装置には、ファンにより空気を吸気するための吸気口と、吸気口からファンまでの経路で内部発熱を吸入された空気に伝える内部ダクト、暖められた空気を外部に排出する排気口が形成されている。しかしながら、吸気口と排気口は、撮影装置の使用時に塞がれない位置に配置する必要があり、また、ゴミの侵入や、降雨時には雨水の侵入に注意する必要がある。
【０００５】
このような課題を鑑みて、本発明は、ファンの排気口または吸気口をバッテリーの着脱時に必要な領域に配置することで、本体の小型化、さらにゴミの侵入や雨水の侵入を防ぐことが可能な撮像装置を提供することを目的とする。
【課題を解決するための手段】
【０００６】
本発明の一側面としての光学機器は、ファンと、前記ファンを内部に保持し、前記ファンの駆動によって外部の空気を吸入する吸気口と、前記ファンの駆動によって生じた気流を排出する排気口が形成された外装部材と、バッテリーが装着される装着領域と、前記バッテリーを摺動させ、前記装着領域に前記バッテリーを着脱可能に取り付ける着脱用領域と、を有するバッテリー取り付け部と、を有し、前記着脱用領域には、前記吸気口または前記排気口のうち少なくとも一方の開口部が形成されていることを特徴とする。
【発明の効果】
【０００７】
本発明によれば、ファンの排気口または吸気口をバッテリーの着脱時に必要な領域に配置することで、本体の小型化、さらにゴミの侵入や雨水の侵入を防ぐことが可能な撮像装置を提供することができる。
【図面の簡単な説明】
【０００８】
【図１】本発明の実施形態に係る撮像装置の構成を示すブロック図である。
【図２】後方左上側から見た撮像装置の斜視図である。
【図３】バッテリーを取り外した状態の後方右下側から見た撮像装置の斜視図である。
【図４】撮像装置の吸気カバーの分解図である。
【図５】撮像装置の分解図である。
【図６】メインユニットの斜視図である。
【図７】センサー基板の周辺図である。
【図８】レンズユニットに図７（ｆ）のユニットを取り付けた状態を示した図である。
【図９】弾性導電放熱部材の全体図である。
【図１０】カメラユニットの斜視図である。
【図１１】ファンの説明図である。
【図１２】ダクトユニットの説明図である。
【図１３】ファンダクトユニットの説明図である。
【図１４】ファンダクトユニットとメイン放熱板の説明図である。
【図１５】レンズメインユニットの説明図である。
【図１６】ＣＦカード基板ユニットの分解斜視図である。
【図１７】ＣＦユニットの斜視図である。
【図１８】レンズメインユニットとＣＦユニットの説明図である。
【図１９】排気ダクトの斜視図である。
【図２０】リアカバーユニットにバッテリーを取り付ける際の説明図である。
【図２１】リアカバーダクトユニットの斜視図である。
【図２２】メインユニットの説明図である。
【発明を実施するための形態】
【０００９】
以下、本発明の実施例について、図面を参照しながら詳細に説明する。各図において、同一の部材については同一の参照番号を付し、重複する説明は省略する。
【００１０】
図１は、撮像装置１００の構成を示すブロック図である。各機能ブロックは、それぞれデータバス１１８を介して互いにデータ通信可能に接続されている。
【００１１】
レンズユニット１０１は、フォーカスおよびズーム等の光学制御系を含む光学レンズ群および絞りを有する。撮像部１０２は、光学信号を光電変換可能なＣＣＤなどの撮像素子５００を有する。メモリ１１１は、プログラム記憶領域とデータ作業領域を有し、データバス１１８を介して各機能ブロックでタイム・シェアリングして使用され、メモリ制御部１１２により制御および管理されている。ＣＰＵ１１３は、所定のプログラムを実行することで、撮像装置１００全体を統括制御する中央演算処理回路である。操作部１１４は、ユーザーからのキー操作などに基づいて、ＣＰＵ１１３に対して動作指示する。デジタルＩ／Ｆ１１５は、ＨＤＭＩ（登録商標）やＵＳＢ等の規格に従い、信号を授受する。電源制御部１１７は、バッテリ検出回路、ＤＣ−ＤＣコンバータ、通電するブロックを切り替えるスイッチ回路等により構成されており、電池の装着の有無、電池の種類、電池残量の検出を行う。バッテリー７０２は、リチウムイオン電池等であり、撮像装置１００に電源を供給する。ファン３００は、ファン制御部１２４によりＰＷＭ（ｐｕｌｓｅ  ｗｉｄｔｈ  ｍｏｄｕｌａｔｉｏｎ）制御で、回転数を制御されており、ＣＰＵ１１３やその他の内部電気素子の強制空冷を行っている。
【００１２】
撮像装置１００の撮影動作および記録動作、再生動作について説明する。例えば、操作部１１４により撮影動作および記録動作が指示された場合、被写体からの光は、レンズユニット１０１により所定の明るさ、画角、およびフォーカス等が制御された光学信号となって撮像部１０２に入力される。撮像部１０２は、入力された光学信号を電気信号に変換し、カメラ信号処理部１０３に出力する。カメラ信号処理部１０３は、この電気信号をデジタル画像信号に変換し、デジタル画像信号に対して、色分離、階調補正、およびホワイトバランス調整などの信号処理を施した後、画像データとして出力する。音声信号処理部１１０は、マイクロフォン１０９より入力された音声信号を所定レベルにゲインコントロールしてデジタル化することで、音声データとして出力する。圧縮伸張処理部１０４は、カメラ信号処理部１０３から出力された画像データおよび音声信号処理部１１０から出力された音声データを所定の圧縮符号化方式により圧縮符号化する。記録再生処理部１０６は、圧縮伸張処理部１０４で得られた圧縮符号化後のデータに対して、エラー訂正符号化処理や変調処理等を施す。処理を施された画像データ等は、カード制御部１０７によりＳＤカードやＣＦカード等の脱着式の記録媒体であるメモリーカード１１９に記録される。
【００１３】
操作部１１４により再生動作が指示された場合、記録再生処理部１０６は、メモリーカード１１９から読み出したデータから元のデジタルデータを検出し、エラー訂正および復調等の処理を施す。また、ＰＬＬ（Ｐｈａｓｅ  Ｌｏｃｋｅｄ  Ｌｏｏｐ）回路によりこの再生データに同期したクロックを生成する。圧縮伸張処理部１０４は、記録再生処理部１０６から出力されたデータに対して、所定の圧縮符号化方式に対応した伸張処理を施し、圧縮符号化前の撮影データおよび音声データを取得する。表示部１０５は、圧縮伸張処理部１０４で得られた再生データを表示する。
【００１４】
また、操作部１１４によりデジタルＩ／Ｆ１１５からの入力データを記録する指示があった場合、ＣＰＵ１１３はデジタルＩ／Ｆ１１５により、外部装置１２１からの画像データあるいは音声データをデジタル信号の状態で入力し、記録再生処理部１０６に送る。この際、外部装置１２１からの画像データあるいは音声データは既に符号化されているものとし、記録再生処理部１０６はこの入力データに対して前述したように記録に必要な処理を施してメモリーカード１１９に記録する。
【００１５】
また、操作部１１４により、入出力部１１６からの入力信号を記録する指示があった場合、ＣＰＵ１１３は、入出力部１１６を制御し、外部装置１２２から出力された画像あるいは音声信号を入力する。入出力部１１６は、外部装置１２２から出力された画像あるいは音声信号をデジタルデータに変換してメモリ１１１に出力する。ＣＰＵ１１３は、メモリ１１１に記憶された画像あるいは音声データを圧縮伸張処理部１０４に出力して圧縮符号化し、記録再生処理部１０６に送る。記録再生処理部１０６は、この符号化されたデータに対して前述したように記録に必要な処理を施してメモリーカード１１９に記録にする。
【００１６】
次に、撮像装置１００の外観構成について説明する。図２は後方左上側から見た撮像装置１００の斜視図であり、図３はバッテリー７０２を取り外した状態の後方右下側から見た撮像装置１００の斜視図である。
【００１７】
表示部１０５は、液晶表示部１０５ａとハンドル部１２６の後部に配置されるＥＶＦ（Ｅｌｅｃｔｒｏｎｉｃ  Ｖｉｅｗ  Ｆｉｎｄｅｒ）１０５ｂを有し、圧縮伸張処理部１０４で画像信号化された画像を表示する。また、表示部１０５は、必要に応じて撮像装置１００の動作状況をオンスクリーン・ディスプレイ情報として表示する。
【００１８】
操作部１１４は、レンズの画角をワイド側またはテレ側に変化させるズーム操作を行うためのズームツマミ１１４ａと、押圧動作することで動画撮影のスタート／ストップを行うことが可能である動画撮影ボタン１１４ｂを有する。ズームツマミ１１４ａと動画撮影ボタン１１４ｂは、撮像装置１００に対して回動可能なグリップ部１３０に配置されている。
【００１９】
撮像装置１００の外装面には、後述するファン３００の駆動によって外部の空気を吸入する吸気口と、ファン３００の駆動によって生じた気流を排出する後述する排気口７０６が形成されている。吸気口は、撮像装置１００のグリップ側側面の側面吸気口１４０と撮像装置１００の本体底面の底面吸気口１４１の２か所に形成されている。図３に示すように、グリップ部１３０を回転させずに撮影する場合は、グリップ部１３０が吸気口の開口を完全に隠すことがないため、空気は側面吸気口１４０と底面吸気口１４１の２か所から吸気される。撮像装置１００を机の上に置いた場合や三脚に取り付けた場合は、底面吸気口１４１から撮像装置１００の本体内部に吸気することはできなくなるが、側面吸気口１４０から吸気されるので、内部電気部品の温度上昇を防ぐことができる。後述する排気口７０６は、リアカバーユニット７００のバッテリー室であるバッテリー取り付け部７０３の上面に形成されている。
【００２０】
図４は、撮像装置１００の吸気カバー１６６の分解図である。吸気カバー１６６はビス１６９でボトムカバー１６４に固定されており、吸気カバー１６６の内側には吸気フィルター１６５が組み込まれている。吸気の際、撮像装置１００は空気と一緒にゴミも吸い込もうとするが、完全なオープンセル構造のウレタンフォームの部材の吸気フィルター１６５によりゴミが装置内部に侵入することを防止することができる。吸気フィルター１６５は、厚みのあるフィルターであり、吸気カバー１６６の側面吸気口１４０、底面吸気口１４１の両方から吸気した空気に対して高い粉塵捕集率を得ることができる。
【００２１】
図５は、撮像装置１００の構成を示す図である。図５（ａ）は左側面側（グリップ部１３０）から見た撮像装置１００の分解図であり、図５（ｂ）は右側面側（液晶表示部１０５ａ側）から見た撮像装置１００の分解図である。撮像装置１００は、Ｆカバーユニット１６０、Ｒカバーユニット１６１、Ｌグリップユニット１６２、ＢＮＣユニット１６３、ボトムカバー１６４、ハンドルユニット１６７、およびメインユニット１６８を有する。Ｒカバーユニット１６１は液晶表示部１０５ａを有し、Ｌグリップユニット１６２はグリップ部１３０を有する。また、ハンドルユニット１６７は、ＥＶＦ１０５ｂが形成されたハンドル部１２６を有する。
【００２２】
図６は、撮像装置１００から外装部材を取り外したメインユニット１６８の斜視図である。図６（ａ）は図５（ａ）と同じ方向から見た図であり、図６（ｂ）は図５（ｂ）と同じ方向から図である。メインユニット１６８は、カメラユニット５６０、ファンダクトユニット３３０、メイン基板２０４、リアカバーダクトユニット７２０およびＣＦユニット８２０を有する。
【００２３】
図７は、センサー基板２００周辺の図である。図７（ａ）は撮像素子５００とセンサー基板２００を取り付けた状態の図であり、図７（ｂ）は図７（ａ）の裏面から見た図である。図７（ｃ）は、センサー基板２００とメイン基板２０４との接続図である。図７（ｄ）は、ＡＤ変換ＩＣ２０１に放熱部材２０５を貼り付けた図である。撮像素子５００は、センサー貼り付け板５１０に貼り付けられた状態でセンサー基板２００に半田付けされる。センサー基板２００の撮像素子５００の実装面とは反対側の面には、撮像素子５００の光電変換された信号をデジタル信号に変換するＡＤ変換ＩＣ２０１および周辺回路が実装されている。センサー基板２００でＡＤ変換された映像信号はＢｔｏＢ接続部２０２に実装されたＢｔｏＢコネクタ２０３を介して、図７（ｃ）に示すように、制御ＩＣ２０４ａが実装されたメイン基板２０４に接続される。また、図７（ｄ）に示すように、ＡＤ変換ＩＣ２０１の放熱を行うために、放熱部材２０５がＡＤ変換ＩＣ２０１に貼り付けられる。図７（ｅ）はセンサー基板２００とセンサー放熱板２０６の分解斜視図であり、図７（ｆ）はセンサー放熱板２０６を組み付けた状態の背面斜視図である。センサー放熱板２０６は、センサー基板２００と平行な主面２０６ａ、上下左右にそれぞれ伸びた腕部２０６ｂ，２０６ｃ，２０６ｄ，２０６ｅが形成されている。センサー貼り付け板５１０は主面２０６ａ、腕部２０６ｂ，２０６ｃにおいて、ビス２１５により固定され、センサー基板２００は腕部２０６ｄ，２０６ｅにおいて、ビス２１５により固定される。センサー放熱板２０６の主面２０６ａと放熱部材２０５が接触することで、ＡＤ変換ＩＣ２０１の放熱が効率よく行われる。
【００２４】
図８は、レンズユニット１０１に図７（ｆ）のユニットを取り付けた状態を示した図である。レンズユニット１０１に形成されたセンサー位置決めボス１７７およびセンサー回転止めボス１７８がレンズ位置決め穴５１６およびレンズ回転止め穴５１７を挿通している。撮像素子５００は、ＣＭＯＳやＣＣＤを使用しているため、素子自体が発する熱によってノイズ等が増え、画質が低下するという問題がある。また、センサー基板２００上の回路も発熱して撮像素子５００に熱を供給するため、撮像素子５００およびセンサー基板２００周辺の熱を放熱する必要がある。センサー放熱板２０６だけでは放熱が不十分であることが多く、熱を他の構造部材に放熱する必要がある。しかし、センサー放熱板２０６を他の部品と接触させてビス止めなどの固定をしてしまうと、撮像装置１００が落下したときにセンサー基板２００がずれる可能性がある。そのため、センサー基板２００の放熱は弾性を損なわないような方法で行う必要がある。また、センサー基板２００が発する電気ノイズを低減するためには、メイン基板２０４とのＢｔｏＢ接続部２０２での接続だけでは不十分で、構造部材にセンサー基板２００のグランド配線を導通させる必要がある場合が多い。そのため、この導電に関しても放熱と同様に弾性的な接続状態を損なわないように行う必要がある。
【００２５】
図９は、弾性導電放熱部材２２０の全体図である。弾性導電放熱部材２２０は、０.０５ｍｍから０.３ｍｍ程度のプラスチックシート２２１に０.０５ｍｍから０.５ｍｍ程度の銅箔等の金属箔２２２を貼り付けたシートを、金属箔２２２面が外側を向くように折り曲げている。また、弾性導電放熱部材２２０は、両面テープ２２３を貼り付けた弾性部材２２４を内側に挟んでいる。両面テープ２２３は、金属箔２２２およびプラスチックシート２２１に対して一部露出されるように、弾性部材２２４に貼り付けられている。弾性導電放熱部材２２０は、この露出個所を用いてセンサー放熱板２０６の背面２１１に貼り付けられる。金属箔２２２は、銅箔やアルミ箔のような高熱伝導性および低導電抵抗の金属である。弾性部材２２４は、発泡ウレタンやスポンジなどの弾性材である。
【００２６】
図１０は、図８の状態に弾性導電放熱部材２２０を取り付けた状態を示した図である。弾性導電放熱部材２２０は、レンズユニット１０１のセンサー放熱板２０６に対して、両面テープ２２３で貼り付くとともに、金属箔２２２で接触している。センサー放熱板２０６の背面２１１に金属箔２２２が対向し、間に挟まれた弾性部材２２４によって付勢されることで導電および放熱を行うことが可能である。また、金属箔２２２の支持材としてプラスチックシート２２１を用いることによって、金属箔２２２の塑性変形を防止し、間に挟まれた弾性部材２２４の反発力を妨げない。このように構成することによって、弾性的に導電かつ放熱を放熱ゴムやガスケットを併用せず、１つの部材で安価かつ省スペースに実現することが可能である。
【００２７】
図１１は、ファン３００の説明図である。図１１（ａ）はファン３００の斜視図であり、図１１（ｂ）は図１１（ａ）とは反対側から見たファン３００の斜視図である。図１１（ｃ）は、ファン３００からアルミプレート３０１を除いた図である。ファン３００の外装は、アルミプレート３０１とアルミダイキャスト３０２で構成される。アルミダイキャスト３０２には、ビスでファン３００を固定するために３か所の貫通穴３０３が形成されている。ファン３００は、メイン基板２０４と電気的に接続するためのワイヤー３０４、ファン基板３０７を有する。また、ファン３００には、空気の吸気口３０５および排気口３０６が形成されている。ファン３００の内部には、空気を送るため、また圧力差を生み出すための羽部３０８と、羽部３０８を回転させるためのモータ部３０９が保持されている。アルミプレート３０１の凸部３１０は、モータ部３０９を逃げるための形状である。不図示であるが、モータ部３０９とワイヤー３０４は、ファン基板３０７を経由して電気的に接続されている。また、羽部３０８には磁石（不図示）、ファン基板３０７にはホール素子（不図示）が備えられ、羽部３０８の回転数を検知しフィードバック制御する手段を備えている。以上の構成により、ファン３００は、空気を吸気口３０５から吸気し、排気口３０６から排出する機能を持ち、かつ回転数を制御可能となっている。
【００２８】
図１２は、ダクトユニット３３１の説明図である。図１２（ａ）はダクトユニット３３１の分解図、図１２（ｂ），（ｃ）はヒートシンク３４０の斜視図、図１２（ｄ）はヒートシンク３４０の上面図である。また、図１２（ｅ）は、ダクト板金３５０の斜視図である。ダクトユニット３３１は、ヒートシンク３４０、ダクト板金３５０およびビス３５３を有する。ヒートシンク３４０は高い剛性と高い熱伝導率を得るためにアルミニウムダイキャストで作成されており、ダクト板金３５０は高い熱伝導率を得るために銅やアルミニウムの板材で作成されている。ヒートシンク３４０は、複数のフィンを所定間隔で並設させたヒートシンク部３４１と、ヒートシンク部３４１に対して傾斜している傾斜部３４２を有する。ヒートシンク部３４１には、ダクト板金位置決めボス３４３、ダクト板金回転止めボス３４４、およびビス穴３４５が形成されている。傾斜部３４２にも２か所のビス穴３４５が形成されている。ヒートシンク部３４１は放熱面積を拡大する目的のフィン３４６を多数備えており、放熱面積を増やすことで空気に効率よく伝熱し高効率な放熱を行うことができる。フィン３４６の裏面には、メイン基板２０４の制御ＩＣ２０４ａに対応するように凸部３５４が形成されている。また、傾斜部３４２には、ファン３００の吸気口３０５とほぼ同じ大きさの開口３４７が形成されている。傾斜部３４２の裏面３４８には、ファン３００を固定するためのビス穴３４９が３か所形成されている。ヒートシンク部３４１に垂直な面と傾斜部３４２の角度はヒートシンクを成形するときの抜き勾配である約３度である。ダクト板金３５０は、それぞれヒートシンク部３４１と傾斜部３４２に対応する主面３５１と傾斜面３５２を有する。ダクト板金３５０は、ヒートシンク３４０のダクト板金位置決めボス３４３とダクト板金回転止めボス３４４によって位置が決められ、ビス３５３で固定されている。ダクトユニット３３１は、ヒートシンク３４０がダクト板金３５０で蓋されることで通風路が限定され、ダクトとして機能する。
【００２９】
図１３は、ファンダクトユニット３３０の説明図である。ファンダクトユニット３３０は、ファン３００、ダクトユニット３３１、ビス３３２およびスポンジ３３３を有する。スポンジ３３３は、ヒートシンク３４０の開口３４７の外周を囲うようにヒートシンク３４０に貼り付けられ、ファン３００とヒートシンク３４０の間に挟まれて使用される。ファン３００は、ビス３３２でヒートシンク３４０のビス穴３４９に固定される。上記構成によりダクトユニット３３１とファン３００との間は密閉されるため、ヒートシンク３４０の開口３４７を通過する空気がファン３００の吸気口３０５に吸い込まれる間で、他に漏れることがない。ファンダクトユニット３３０では、ヒートシンク３４０とダクト板金３５０で構成される吸気口３３４で吸気し、ヒートシンク３４０のヒートシンク部３４１内を通過する。その後、流入した空気は一度方向を変えてから傾斜部３４２内を通過して、開口３４７を経由しファン３００の吸気口３０５に流入し、ファン３００の排気口３０６から排気される。
【００３０】
図１４は、ファンダクトユニット３３０とメイン放熱板３８０の説明図である。図１４（ａ）は分解図、図１４（ｂ）は組み立て後の斜視図である。ヒートシンク３４０の３か所の凸部３５４に対応するように、メイン放熱板３８０には３か所の凸部３８２が形成されている。また、３か所の凸部３８２に対応するように３枚の放熱部材３８１がメイン放熱板３８０に張り付けられている。
【００３１】
図１５は、レンズメインユニット５６１の説明図である。図１５（ａ）は分解図、図１５（ｂ）は上面図である。レンズメインユニット５６１は、ファンダクトユニット３３０、メイン放熱板３８０、カメラユニット５６０およびレンズホルダーユニット５７０を有する。レンズメインユニット５６１は、レンズホルダーユニット５７０に形成された不図示の位置決めボス、回転止めボスに対して、ヒートシンク３４０の不図示の位置決め穴、回転止め穴を合わせることで位置決めをしてビス５６２で固定される。図１５（ｂ）におけるスペース５６３は、後述するＣＦユニット８２０を組み付けるための空間である。
【００３２】
図１６はＣＦカード基板ユニット（スロット）８００の分解斜視図であり、図１７はＣＦユニット８２０の斜視図である。ＣＦカード基板ユニット８００は、カード基板８０１にヘッダー８０２が実装されている。ヘッダー８０２に対してＣＦカード８０３が着脱可能な金属製のイジェクタ８０４が取り付けられる。カード基板８０１には、ＣＦカード８０３にアクセスする際に点灯するＬＥＤ８０５やメイン基板２０４に電気的接続するための不図示のフレキを接続するためのコネクタ８０７や他の電気部品などが実装される。ＣＦユニット８２０は、ユニットベース８２１に対して、２枚のＣＦカード基板ユニット８００が位置決めされ、ＣＦトップフレーム８２２、ＣＦボトムフレーム８２３とともにビス８２４で固定される。また、ＣＦユニット８２０は、金属製のＣＦトップフレーム８２２およびＣＦボトムフレーム８２３でカード基板８０１に接しており、グランド接続されている。
【００３３】
図１８（ａ）はレンズメインユニット５６１にＣＦユニット８２０を組み付ける途中の図であり、図１８（ｂ）はレンズメインユニット５６１にＣＦユニット８２０を組み付けた後の斜視図である。ＣＦユニット８２０は、前述した図１５（ｂ）のスペース５６３に対して、Ａ方向から組み付けて、ビス５６４で固定される。このとき、ヒートシンク３４０の傾斜部３４２がＡ方向に対して開いているので、ＣＦユニット８２０を組み付けし易くなっている。
【００３４】
図１９は、排気ダクト３６０の斜視図である。排気ダクト３６０は、パネル側排気ダクト３６１、グリップ側排気ダクト３６２およびスポンジ３６３を有する。パネル側排気ダクト３６１にはダクト位置決めボス３６４とダクト回転止めボス３６５が形成され、グリップ側排気ダクト３６２にはそれぞれに対応するようにダクト位置決め穴３６６とダクト回転止め穴３６７が形成されている。パネル側排気ダクト３６１とグリップ側排気ダクト３６２は、位置決めされた後、ビス３７０により組み付けられる。パネル側排気ダクト３６１とグリップ側排気ダクト３６２の２部品が組み付けられると、吸気側開口３６８と排気側開口３６９の２つの開口部分が形成される。スポンジ３６３は、吸気側開口３６８に両面テープで張り付けられる。
【００３５】
図２０は、リアカバーユニット７００にバッテリー７０２を取り付ける際の説明図である。図２０（ａ）はリアカバーユニット７００の背面図、図２０（ｂ）はバッテリー７０２を取り付ける途中のリアカバーユニット７００の背面図、図２０（ｃ）はバッテリー７０２を装着した状態のリアカバーユニット７００の背面図である。リアカバーユニット７００には、バッテリーイジェクトつまみ７０１を操作することでバッテリー７０２を着脱可能に取付け可能なバッテリー取付け部７０３が形成されている。バッテリー取付け部７０３には、バッテリー７０２が装着されるバッテリー装着領域７０４と、バッテリー装着領域７０４に対しバッテリー７０２を摺動させて着脱させるためのスペースであるバッテリー着脱用領域７０５が形成されている。バッテリー着脱用領域７０５には、排気口７０６が形成されている。図２０（ｂ）に示すように、バッテリー着脱用領域７０５は、バッテリー装着領域７０４にバッテリー７０２を装着する、あるいはバッテリー７０２を取外す際に、バッテリー７０２を摺動させるために使用される。図２０（ｃ）に示すように、バッテリー７０２がバッテリー装着領域７０４に装着された状態では、バッテリー着脱用領域７０５は外部に露出した状態となる。したがって、本実施形態では、バッテリー７０２が排気口７０６を塞ぐことがないため、排気口７０６からの排気を妨げられることがない。また、バッテリー７０２が装着された際にはデッドスペースとなるバッテリー着脱用領域７０５に排気口７０６を形成しているため、撮像装置１００の小型化に貢献している。
【００３６】
図２１は、リアカバーユニット７００に対して排気ダクト３６０を組み付けたリアカバーダクトユニット７２０の斜視図である。排気ダクト３６０は、排気側開口３６９がリアカバー７０１の排気口７０６に接するように位置決めをされて、ビス７２１でリアカバーダクトユニット７２０に固定されている。
【００３７】
図２２は、メインユニット１６８の説明図である。図２２（ａ）は、図１８（ｂ）で組み付けたユニットに対して、リアカバーダクトユニット７２０を組み付けた状態であり、図６（ｂ）の状態に相当する。図２２（ｂ）は、メインユニット１６８をレンズユニット１０１の光軸を通る平面で切断した断面図である。吸気側開口３６８から吸気された空気は、メインユニット１６８の上方かつ後方に向かって延びた排気ダクト３６０の内部を通った後に、リアカバー７０１に形成された排気口７０６から排出される。ファン３００の排気口３０６と排気ダクト３６０の吸気側開口３６８の間にはスポンジ３６３が挟まれているため、空気が漏れることはない。排気口７０６は、リアカバー７０１のバッテリー取り付け部７０３の上面に形成されており、排気口７０６から撮像装置１００の内部にゴミや雨水が侵入しにくい。また、レンズリアダクトユニット７３０では、光軸方向において、レンズユニット１０１の後方に撮像素子５００、２枚のカード基板８０１およびファン３００の順に配置されている。そのため、ファン３００のモータ部３０９が原因で発生する不要輻射ノイズをＣＦユニット８２０内の２つの金属製のイジェクタ８０４や２枚のカード基板８０１が遮断する。したがって、本実施形態では、撮像素子５００が受ける不要輻射ノイズをシールド用部材を追加することなく低減することができる。なお、本実施形態では、ＣＦユニット８２０によって、不要輻射ノイズを低減しているが、別の金属ユニットによって低減してもよい。
【００３８】
本実施形態ではバッテリー着脱用領域７０５の開口を排気口として説明したが、バッテリー着脱用領域７０５の開口を吸気口、撮像装置１００の底面および側面に形成された開口を排気口として機能させ、空気の流れ方向を逆にした場合も本発明に含まれる。
【００３９】
以上、本発明の好ましい実施形態について説明したが、本発明はこれらの実施形態に限定されず、その要旨の範囲内で種々の変形及び変更が可能である。
【符号の説明】
【００４０】
１００    撮像装置
１４０    側面吸気口
１４１    底面吸気口
３００    ファン
７０３    バッテリー取付け部
７０４    バッテリー装着領域
７０５    バッテリー着脱用領域
７０６    排気口
【図１】
2015185852.tif 000003
【図２】
2015185852.tif 000004
【図３】
2015185852.tif 000005
【図４】
2015185852.tif 000006
【図５】
2015185852.tif 000007
【図６】
2015185852.tif 000008
【図７】
2015185852.tif 000009
【図８】
2015185852.tif 000010
【図９】
2015185852.tif 000011
【図１０】
2015185852.tif 000012
【図１１】
2015185852.tif 000013
【図１２】
2015185852.tif 000014
【図１３】
2015185852.tif 000015
【図１４】
2015185852.tif 000016
【図１５】
2015185852.tif 000017
【図１６】
2015185852.tif 000018
【図１７】
2015185852.tif 000019
【図１８】
2015185852.tif 000020
【図１９】
2015185852.tif 000021
【図２０】
2015185852.tif 000022
【図２１】
2015185852.tif 000023
【図２２】
2015185852.tif 000024